(57)【要約】【課題】表示する画面に関わらず操作入力が容易な電子機器を提供する。【解決手段】押圧検出部は操作入力による押圧値を検出し、表示部は画像を表示し、表示制御部は押圧検出部が検出した押圧値に応じて表示部に画像を表示する位置を変位させる。表示制御部は、押圧値を検出した押圧検出部の位置に応じた方向に変位させる方向を定め、押圧検出部が検出した押圧値が大きいほど表示制御部が変位させる変位量が大きくする。また、表示制御部は、予め定めた複数の押圧値の範囲のうち、前記押圧検出部が検出した押圧値が含まれる範囲に対応した変位量を定める。【選択図】図３
2014085754.tif 000002
【特許請求の範囲】
【請求項１】
操作入力による押圧値を検出する押圧検出部と、
画像を表示する表示部と、
前記押圧検出部が検出した押圧値に応じて前記表示部に画像を表示する位置を変位させる表示制御部と
を備えることを特徴とする電子機器。
【請求項２】
前記表示制御部は、前記押圧値を検出した押圧検出部の位置に応じた方向に前記変位させる方向を定めることを特徴とする請求項１に記載の電子機器。
【請求項３】
前記押圧検出部は、押圧の分布を検出し、前記表示制御部は、検出した押圧の分布に応じた方向に前記変位させる方向を定めることを特徴とする請求項２に記載の電子機器。
【請求項４】
前記押圧検出部が検出した押圧値が大きいほど前記表示制御部が変位させる変位量が大きいことを特徴とする請求項１ないし３のいずれかに記載の電子機器。
【請求項５】
前記表示制御部は、予め定めた複数の押圧値の範囲のうち、前記押圧検出部が検出した押圧値が含まれる範囲に対応した変位量を定めることを特徴とする請求項４に記載の電子機器。
【発明の詳細な説明】
【技術分野】
【０００１】
本発明は、電子機器に関する。
【背景技術】
【０００２】
携帯電子機器、例えば、多機能携帯電話機やタブレット端末装置等には、画像を表示する表示装置とユーザによる操作入力を受け付ける位置入力装置（タッチセンサ）とを組み合わせたタッチパネルを備えたものがある。表示装置には、キーやアイコン等の画面部品が表示されることがある。ユーザは、画面部品が表示されたタッチパネルの位置に対して、例えば自己の指を接触させることで、キー入力を行い、またアイコンの内容であるインタフェースを操作することができる。
表示される画面部品の位置によっては、ユーザにとって片手で機器を操作することが困難なことがあった。例えば、ユーザの手の大きさや機器の大きさによって、画面部品とは異なる位置に自己の指を接触させることによる誤操作や、機器の持ち替えが強いられることがあった。
そこで、特許文献１に記載の携帯端末では、タッチパネルを有する携帯端末であって、タッチパネル上にキーやアイコンである項目を配置する配置手段を有し、タッチパネル上またはタッチパネル周辺には、操作するユーザの指の位置を感知するセンサをさらに有する。配置手段は、センサで感知した操作するユーザの指の位置によって、項目を指の位置近傍に配置する。
【先行技術文献】
【特許文献】
【０００３】
【特許文献１】特開２００９−１６９４５１号公報
【発明の概要】
【発明が解決しようとする課題】
【０００４】
しかしながら、特許文献１に記載のように操作入力を受け付ける画面部品の配置を変更するためには、画面を表示するソフトウェアの機能等によって適用できる画面が限定される。本発明は上記の点に鑑みてなされたものであり、表示する画面に関わらず操作入力が容易な電子機器を提供する。
【課題を解決するための手段】
【０００５】
（１）本発明は上記の課題を解決するためになされたものであり、本発明の一態様は、操作入力による押圧値を検出する押圧検出部と、画像を表示する表示部と、前記押圧検出部が検出した押圧値に応じて前記表示部に画像を表示する位置を変位させる表示制御部とを備えることを特徴とする電子機器である。
【０００６】
（２）本発明のその他の態様は、上述の電子機器において、前記表示制御部は、前記押圧値を検出した押圧検出部の位置に応じた方向に前記変位させる方向を定めることを特徴とする。
【０００７】
（３）本発明のその他の態様は、上述の電子機器において、前記押圧検出部は、押圧の分布を検出し、前記表示制御部は、検出した押圧の分布に応じた方向に前記変位させる方向を定めることを特徴とする。
【０００８】
（４）本発明のその他の態様は、上述の電子機器において、前記押圧検出部が検出した押圧値が大きいほど、前記表示制御部が前記変位させる変位量が大きいことを特徴とする。
【０００９】
（５）本発明のその他の態様は、上述の電子機器において、前記表示制御部は、予め定めた複数の押圧値の範囲のうち、前記押圧検出部が検出した押圧値が含まれる範囲に対応した変位量を定めることを特徴とする。
【００１０】
（６）本発明のその他の態様は、電子機器における制御方法であって、前記電子機器において、操作入力による押圧値を検出する押圧検出部が検出した押圧値に応じて画像を表示する表示部に画像を表示する位置を変位させる表示制御過程を有する制御方法である。
【００１１】
（７）本発明のその他の態様は、電子機器のコンピュータに、操作入力による押圧値を検出する押圧検出部が検出した押圧値に応じて画像を表示する表示部に画像を表示する位置を変位させる表示制御手順を実行させるための制御プログラム。
【発明の効果】
【００１２】
本発明によれば、電子機器において表示する画面に関わらず操作入力が容易になる。
【図面の簡単な説明】
【００１３】
【図１】本発明の第１の実施形態に係る電子機器の外観構成を示す表面図である。
【図２】本実施形態に係る電子機器１の断面図である。
【図３】本実施形態に係る電子機器の内部構成を示す概略ブロック図である。
【図４】本実施形態に係る画面制御処理の一例を示すフローチャートである。
【図５】本実施形態に係る電子機器の他の例における外観構成を示す表面図である。
【図６】本実施形態に係る電子機器の他の例における外観構成を示す表面図である。
【図７】本実施形態に係る電子機器の他の例における外観構成を示す表面図である。
【図８】本実施形態に係る電子機器の他の例における外観構成を示す表面図である。
【図９】本実施形態に係る電子機器の他の例における外観構成を示す表面図である。
【図１０】本実施形態に係る電子機器の他の例における外観構成を示す表面図である。
【図１１】本実施形態に係る電子機器の他の例における構成を示す背面図である。
【図１２】本実施形態に係る電子機器の他の例の断面図である。
【図１３】本実施形態に係る電子機器の動作の一例を示す概念図である。
【図１４】本実施形態に係る電子機器の動作のその他の例を示す概念図である。
【図１５】本実施形態に係る電子機器の動作の一例を示す概念図である。
【図１６】本実施形態に係る電子機器の動作のその他の例を示す概念図である。
【図１７】本実施形態に係る電子機器の動作の一例を示す概念図である。
【図１８】本発明の第２の実施形態に係る画面制御処理の一例を示すフローチャートである。
【図１９】本実施形態に係る電子機器の動作のその他の例を示す概念図である。
【図２０】本実施形態に係る電子機器の動作のその他の例を示す概念図である。
【図２１】本発明の第３の実施形態に係る画面制御処理の一例を示すフローチャートである。
【図２２】本実施形態に係るに係る電子機器の動作の一例を示す概念図である。
【図２３】変位方向の時間変化の一例を示す図である。
【図２４】変位方向の時間変化のその他の例を示す図である。
【図２５】変位方向の時間変化のその他の例を示す図である。
【図２６】変位方向の回転力に応じた変化の一例を示す図である。
【発明を実施するための形態】
【００１４】
（第１の実施形態）
以下、図面を参照しながら本発明の第１の実施形態について説明する。
図１は、本実施形態に係る電子機器１の外観構成を示す表面図である。
電子機器１は、押圧センサ（押圧検出部）１０１、タッチセンサ（位置検出部）１０３及び筐体（収容部）１０５を含んで構成される。電子機器１は、例えば、多機能携帯電話機（いわゆるスマートフォンを含む）、タブレット端末装置、電子書籍閲覧端末、等である。
図１に示す例では、電子機器１は、一辺の長さ（高さ）が他の一辺の長さ（幅）よりも大きい縦長の長方形の形状を有する。本実施形態では、これには限られず電子機器１は、幅が高さよりも広い横長の長方形の形状を有していてもよい。図１では、Ｘ方向は電子機器１の幅の方向を示し、Ｙ方向は電子機器１の高さの方向を示し、Ｚ方向は電子機器１の厚みの方向を示す。つまり、Ｘ方向、Ｙ方向、Ｚ方向は、それぞれ紙面の左、上、奥行（裏）の各方向である。以下の説明では、これらの各方向を、単に左、上、奥行（裏）、と呼ぶことがある。
電子機器１の大きさは、ユーザが携帯可能であれば、いかなる大きさであってもよい。一例として、電子機器１は、概ね人間の片手で把持できる程度の大きさを有する。その場合、電子機器１は、例えば、幅は５５〜８５ｍｍ、高さは１００〜１６０ｍｍ、厚さは８ｍｍ〜２０ｍｍの範囲のいずれかの寸法を有する。厚さは、Ｚ方向の辺の長さである。
【００１５】
押圧センサ１０１は、自己に接触されることで加えられた押圧を検知し、検知した押圧値を示す押圧信号を生成する。押圧値は、押圧の大きさを示す値である。押圧センサ１０１は、例えば、加えられた押圧を電気信号に変換する圧電素子である。その場合、変換された電気信号の電圧等の信号値は、押圧値を示す。図１に示す例では、押圧センサ１０１は、一辺（長辺）の長さが他の辺の長さよりも大きい細長い形状を有し、長さに沿っていずれかの部位に加えられた押圧を検知する。押圧センサ１０１は、タッチセンサ１０３が占める領域外であって電子機器１の上端に、その長辺が電子機器１の幅方向に平行に配置される。これにより、ユーザが電子機器１の上端部にかけた押圧が検知される。
押圧センサ１０１は、生成した押圧信号を押圧検知部１１１（後述）に出力する。
【００１６】
タッチセンサ１０３は、操作物（例えば、ユーザの指）が接触した位置を検知し、検知した位置を示す位置情報を生成し、生成した位置情報をタッチセンサ情報処理部１１５（後述）に出力する。タッチセンサ１０３は、ほぼ長方形の平面の形状を有し、電子機器１の表面の大部分を覆うように配置される。タッチセンサ１０３は、操作物が接触した位置を検知するために、例えば静電容量センサを備える。タッチセンサ１０３は、画像を表示する表示部１０２（後述）と一体化してタッチパネルを構成する。本実施形態では、これには限られず、タッチセンサ１０３と表示部１０２は、別体であってもよい。
筐体１０５は、電子機器１の各構成部を収容し、押圧センサ１０１及びタッチセンサ１０３の位置を固定する。
【００１７】
（電子機器の断面）
図２は、本実施形態に係る電子機器１の断面図である。
図２に示す断面図は、図１のＡＡ’線を通過し、ＸＹ平面に垂直な断面を示す図である。図１のＡＡ’線は、電子機器１の幅の方向の中点を通り、Ｙ方向に平行な線分である。
図２では、Ｙ方向は電子機器１の高さの方向を示し、Ｚ方向は電子機器１の厚みの方向を示す。紙面の左側が、電子機器１の表面の方向を示す。
電子機器１は、押圧センサ１０１、タッチセンサ１０３及び筐体１０５の他、さらに表示部１０２及び保護パネル（押圧伝達部）１０４を含んで構成される。
表示部１０２は、タッチセンサ１０３の裏面に設けられ、表示制御部１１４（後述）から入力された画像信号に基づく画像を表示する。表示部１０２は、例えば、液晶表示パネルや有機ＥＬ表示パネルである。表示部１０２が表示する画像による画像光は、透明な部材からなるタッチセンサ１０３を透過する。
【００１８】
保護パネル１０４は、電子機器１の表面に配置され、少なくとも押圧センサ１０１及びタッチセンサ１０３の表面をそれぞれ覆うように配置されている。保護パネル１０４は、操作物と接触することによって、その表面に加えられた押圧を、裏面に接触している押圧センサ１０１、タッチセンサ１０３又はその両者に伝達する。保護パネル１０４に加えられた押圧のうち、表面から裏面への方向（Ｚの正方向）に伝達される成分が主であり、ＸＹ平面に平行に伝達される成分は比較的少ない。保護パネル１０４には、透明な部材（例えば、ポリエステル樹脂フィルム）が用いられ、タッチセンサ１０３から入射する画像の光を透過する。そのため、タッチセンサ１０３が表示する画像は、保護パネル１０４の表面から視認可能であり、図１には保護パネル１０４を表示されていない。また、タッチセンサも透明な部材により構成され、表示部１０２（図３）に表示された画像の入射光を透過するのであるが、この現象を「タッチパネルが画像を表示する」と表現することがある。
【００１９】
（電子機器の内部構成）
次に、本実施形態に係る電子機器１の内部構成について説明する。
図３は、本実施形態に係る電子機器１の内部構成を示す概略ブロック図である。
電子機器１は、押圧センサ１０１、表示部１０２、タッチセンサ１０３、及び制御部１１０を含んで構成される。制御部１１０は、押圧検知部（押圧入力部）１１１、動作判定部１１２、制御情報記憶部１１３、表示制御部１１４、及びタッチセンサ情報処理部（位置入力部）１１５を含んで構成される。
【００２０】
押圧検知部１１１は、押圧センサ１０１から入力された押圧信号を予め定めた時間間隔（例えば、２０ｍｓ）毎に検知し、検知した押圧信号を動作判定部１１２に出力する。
動作判定部１１２は、制御情報記憶部１１３から制御情報として予め定めた押圧値の閾値を読み出す。動作判定部１１２は、押圧検知部１１１から入力された押圧信号が示す押圧値が、読み出した閾値を越えたか否かを判定する。閾値を越えたと判定した場合には、動作判定部１１２は、表示制御信号を生成し、生成した表示制御信号を表示制御部１１４に出力する。表示制御信号は、画像の表示位置を基準位置から変位させることを示す信号であり、要素として変位方向及び変位量を含む。
【００２１】
変位方向とは、表示位置を変位させる方向である。本実施形態では、表示変位信号に含まれる変位方向として、電子機器１の重心点を基準として押圧センサ１０１が配置されている位置に対応した方向を用いてもよい。例えば、図１に示すように押圧センサ１０１が電子機器１の上端部に配置されている場合には、変位方向は下方（Ｙの正方向）又は上方（Ｙの負方向）である。以下の説明では、押圧センサ１０１が配置されている位置の方向（上向きの方向）と逆の方向を順方向（この場合、下方）、押圧センサ１０１が配置されている位置の方向と同一の方向を逆方向（この場合、上方）と呼ぶことがある。これは、電子機器１を押圧した位置（例えば上）には、重心点からその押圧した位置への方向（例えば上方）とは逆の方向（例えば下方）に向けて、ユーザが指等の操作物を動かして押圧されることが、しばしばあるからである。
【００２２】
変位方向は、上述のように押圧センサ１０１の位置に応じた方向に予め設定されていてもよい。そこで、制御情報記憶部１１３には、押圧センサ１０１の位置に応じた変位方向を示す変位方向情報を予め記憶させておく。動作判定部１１２は、入力された押圧信号に係る押圧センサ１０１に対応した変位方向情報を制御情報記憶部１１３から読み出し、読み出した変位方向情報が示す変位方向を上述の表示変位信号に含める。
【００２３】
変位量とは、表示位置を変位させる移動量、つまり予め定めた基準位置からの距離である。基準位置とは、表示位置の指定がない場合に画像を表示する位置である。本実施形態では、表示制御信号に含まれる変位量として、例えば、予め定めた値を用いてもよい。変位量は、画面サイズ比（例えば、１／１２）、画素数（例えば、６４画素）、距離値（例えば、１０ｍｍ）、いずれで指定されていてもよい。変位量の他の例については後述する。
なお、変位方向及び変位量は、制御情報の一部として含まれ、動作判定部１１２は読み出した制御情報に含まれる変位方向及び変位量を用いてもよい。
これにより、ユーザが押圧センサ１０１に押圧することで、表示される画像が変位して、より操作が容易な位置に画面部品が移動する。画面部品については、後述する。
【００２４】
動作判定部１１２は、押圧検知部１１１から入力された押圧信号が示す押圧値が、読み出した閾値を越えた状態から、その閾値を下回ったと判定した場合には、画像の表示位置を基準位置に戻すことを示す表示制御信号を生成する。基準位置に戻すことを示す表示制御信号は、ゼロを示す変位量を含む。動作判定部１１２は、生成した表示制御信号を表示制御部１１４に出力する。
動作判定部１１２は、押圧値が閾値を下回ったと判定された状態が予め定めた継続時間（例えば、３秒）よりも長く継続した場合に、その生成した表示制御信号を表示制御部１１４に出力してもよい。もしくは、表示位置を基準位置に戻す際の押圧信号が示す押圧値が下回ったか否かを判定するための閾値は、表示位置を変位させる際の押圧信号が示す押圧値を超えたか否かを判定するための閾値よりも小さく（例えば、０．５倍）てもよい。
これにより、ユーザが押圧センサ１０１への押圧を解除した後、直ちに表示される画像の位置は基準位置に戻らないので、位置が変位した画像が示す画面部品への操作に要する時間が確保される。
【００２５】
動作判定部１１２は、操作入力に基づいて画像が切り替わることを判定した場合にも、画像の表示位置を基準位置に戻すことを示す表示制御信号を生成し、生成した表示制御信号を表示制御部１１４に出力してもよい。動作判定部１１２は、画像が切り替わることを判定するために、例えば、次の処理（１）、（２）のいずれか又は両方を行う。
（１）動作判定部１１２は、タッチセンサ情報処理部１１５から入力された位置情報が示す位置が制御部１１０から入力された画像信号が示す画面部品が表示される領域に含まれることを検出する。これにより、ユーザが画面部品に対して操作を行ったことが検知され、ひいては表示される画面が変更されることが予見されるからである。制御部１１０から入力された画像信号は、例えば制御部１１０が他のアプリケーションソフトウェアを実行する過程で、その位置情報を参照して生成した画像信号である。
（２）動作判定部１１２は、タッチセンサ情報処理部１１５から最後に位置情報が入力された時点から予め定めた時間（例えば、１秒）以内に、制御部１１０から入力された画像信号と過去（例えば、現在から１／１５秒過去）の画像信号の相関を算出する。動作判定部１１２は、算出した予め定めた相関の閾値を下回ったことを検出する。これにより、操作入力の直後に、表示される画像が変更されたことが推定されるからである。
【００２６】
制御情報記憶部１１３には、制御情報が予め記憶されている。制御情報は、上述のように、押圧値の閾値、変位方向、変位量を含む情報である。
表示制御部１１４には、制御部１１０から入力された画像信号と、動作判定部１１２からの表示制御信号が入力される。表示制御部１１４は、入力された画像信号に係る画像を、基準位置から表示制御信号が示す変位方向にその変位量だけ位置を変位させる。ここで、表示制御部１１４は、その変位させた位置に表示される画像を示す画像信号を生成する。表示制御部１１４は、生成した画像信号を表示部１０２に出力する。
【００２７】
制御部１１０から表示制御部１１４に入力される画像信号は、画面部品を示す画像信号であってもよい。画面部品は、表示部１０２に表示された位置と対応する位置への操作入力をタッチセンサ１０３が受け付け可能であることを示す画像である。画面部品は、ＵＩ（Ｕｓｅｒ  Ｉｎｔｅｒｆａｃｅ）部品、ＧＵＩ（Ｇｒａｐｈｉｃ  Ｕｓｅｒ  Ｉｎｔｅｒｆａｃｅ）コンポーネントとも呼ばれ、例えば、アイコン、ボタン、リンク、等がある。
タッチセンサ情報処理部１１５は、タッチセンサ１０３から入力された位置情報を予め定めた時間間隔（例えば、２０ｍｓ）毎に検知し、検知した位置情報を動作判定部１１２に出力する。
【００２８】
（画面制御処理）
次に、本実施形態に係る画面制御処理について説明する。
図４は、本実施形態に係る画面制御処理の一例を示すフローチャートである。
（ステップＳ１０１）表示部１０２は、表示制御部１１４から入力された画像信号に基づく画像を基準位置に表示する（通常表示）。その後、ステップＳ１０２に進む。
（ステップＳ１０２）動作判定部１１２は、押圧検知部１１１から入力された押圧信号が示す押圧値が、制御情報記憶部１１３から読み出した閾値を越えたか否かを判定する。閾値を越えたと判定された場合には（ステップＳ１０２  ＹＥＳ）、ステップＳ１０３に進む。閾値を越えていないと判定された場合には（ステップＳ１０２  ＮＯ）、ステップＳ１０２を繰り返す。
【００２９】
（ステップＳ１０３）動作判定部１１２は、表示制御信号を生成し、生成した表示制御信号を表示制御部１１４に出力する。表示制御部１１４は、入力された画像信号に係る画像を、基準位置から動作判定部１１２から入力された表示制御信号が示す変位方向にその変位量だけ位置を変位させる。これによって、表示部１０２は、基準位置から変位した画像を表示する。つまり、押圧センサ１０１の位置に応じた向きに画像が表示される位置がずれる。その後、ステップＳ１０４に進む。
【００３０】
（ステップＳ１０４）動作判定部１１２は、押圧検知部１１１から入力された押圧信号が示す押圧値が、制御情報記憶部１１３から読み出した閾値よりも小さいか否かを判定する。閾値よりも小さいと判定された場合には（ステップＳ１０４  ＹＥＳ）、動作判定部１１２は、画像の表示位置を基準位置に戻すことを示す表示制御信号を生成し、生成した表示制御信号を表示制御部１１４に出力する。その後、ステップＳ１０１に戻る。即ち、表示制御部１１４は、入力された画像信号に係る画像を、基準位置に戻す。閾値よりも小さくないと判定された場合には（ステップＳ１０４  ＮＯ）、ステップＳ１０４を繰り返す。
【００３１】
（押圧センサの配置例）
上述では、１個の押圧センサ１０１が電子機器１の表面の上端に配置されている場合（図１参照）を例にとって説明したが、本実施形態ではこれに限られない。押圧センサの個数、配置される位置は、図１に示した例とは異なっていてもよい。これによりユーザによって電子機器１を把持する位置や、タッチセンサ１０３への指による操作入力が困難な領域が異なることに対応することができる。
以下、押圧センサの配置例について説明する。上述と同一の構成については、同一の符号を付して説明を援用する。以下に説明する電子機器１ａないし１ｇが備える押圧センサの構造や特性は押圧センサ１０１と同様であってもよい。また、電子機器１ａないし１ｆにおける、奥行方向（Ｚ方向）への押圧センサ１０１、タッチセンサ１０３、保護パネル１０４及び筐体１０５の配置関係は、電子機器１（図２参照）と同様であるため説明を省略する。
【００３２】
図５は、本実施形態に係る電子機器の他の例（電子機器１ａ）における外観構成を示す表面図である。  
電子機器１ａは、電子機器１において押圧センサ１０１の代わりに押圧センサ１０１ａを備える。押圧センサ１０１ａは、タッチセンサ１０３が占める領域外であって電子機器１ａの表面の右端に、その長辺が電子機器１ａの高さ方向に平行に配置される。これにより、ユーザによる電子機器１ａの右端部への押圧が検知される。この場合、変位方向は左方（Ｘの負方向、順方向）又は右方（Ｘの正方向、逆方向）である。
【００３３】
図６は、本実施形態に係る電子機器の他の例（電子機器１ｂ）における外観構成を示す表面図である。  
電子機器１ｂは、電子機器１において押圧センサ１０１の代わりに２個の押圧センサ１０１ｂ−１、１０１ｂ−２を備える。押圧センサ１０１ｂ−１は、タッチセンサ１０３が占める領域外であって電子機器１ｂの表面の上端に、その長辺が電子機器１ｂの幅方向に平行に配置される。押圧センサ１０１ｂ−２は、タッチセンサ１０３が占める領域外であって電子機器１ｂの表面の下端に、その長辺が電子機器１ｂの幅方向に平行に配置される。
これにより、ユーザによる電子機器１ｂの上端部又は下端部への押圧が検知される。変位方向は、押圧が検知された押圧センサ１０１ｂ−１の位置に応じて下方（Ｙの正方向、順方向）又は上方（Ｙの負方向、逆方向）となる。また、変位方向は、押圧が検知された押圧センサ１０１ｂ−２の位置に応じて上方（Ｙの負方向、順方向）又は下方（Ｙの正方向、逆方向）となる。
【００３４】
図７は、本実施形態に係る電子機器の他の例（電子機器１ｃ）における外観構成を示す表面図である。  
電子機器１ｃは、電子機器１において押圧センサ１０１の代わりに２個の押圧センサ１０１ｃ−１、１０１ｃ−２を備える。押圧センサ１０１ｃ−１は、タッチセンサ１０３が占める領域外であって電子機器１ｃの表面の左端に、その長辺が電子機器１ｃの高さ方向に平行に配置される。押圧センサ１０１ｃ−２は、タッチセンサ１０３が占める領域外であって電子機器１ｃの表面の右端に、その長辺が電子機器１ｃの高さ方向に平行に配置される。
これにより、ユーザによる電子機器１ｃの左端部又は右端部への押圧が検知される。変位方向は、押圧が検知された押圧センサ１０１ｃ−１の位置に応じて右方（Ｘの正方向、順方向）又は左方（Ｘの負方向、逆方向）となる。また、変位方向は、押圧が検知された押圧センサ１０１ｃ−２の位置に応じて左方（Ｘの負方向、順方向）又は右方（Ｘの正方向、逆方向）となる。
【００３５】
図８は、本実施形態に係る電子機器の他の例（電子機器１ｄ）における外観構成を示す表面図である。  
電子機器１ｄは、電子機器１において押圧センサ１０１の代わりに２個の押圧センサ１０１ｄ−１、１０１ｄ−２を備える。押圧センサ１０１ｄ−１は、タッチセンサ１０３が占める領域外であって電子機器１ｄの表面の左端に、その長辺が電子機器１ｄの高さ方向に平行に配置される。押圧センサ１０１ｄ−２は、タッチセンサ１０３が占める領域外であって電子機器１ｄの表面の上端に、その長辺が電子機器１ｄの幅方向に平行に配置される。
これにより、ユーザによる電子機器１ｄの左端部又は上端部への押圧が検知される。変位方向は、押圧が検知された押圧センサ１０１ｄ−１の位置に応じて右方（Ｘの正方向、順方向）又は左方（Ｘの負方向、逆方向）となる。また、変位方向は、押圧が検知された押圧センサ１０１ｄ−２の位置に応じて下方（Ｙの正方向、順方向）又は上方（Ｙの負方向、逆方向）となる。
【００３６】
図９は、本実施形態に係る電子機器の他の例（電子機器１ｅ）における外観構成を示す表面図である。  
電子機器１ｅは、電子機器１において押圧センサ１０１の代わりに４個の押圧センサ１０１ｅ−１〜１０１ｅ−４を備える。押圧センサ１０１ｅ−１は、タッチセンサ１０３が占める領域外であって電子機器１ｅの表面の左端に、その長辺が電子機器１ｅの高さ方向に平行に配置される。押圧センサ１０１ｅ−２は、タッチセンサ１０３が占める領域外であって電子機器１ｅの表面の上端に、その長辺が電子機器１ｅの幅方向に平行に配置される。押圧センサ１０１ｅ−３は、タッチセンサ１０３が占める領域外であって電子機器１ｅの表面の右端に、その長辺が電子機器１ｅの高さ方向に平行に配置される。押圧センサ１０１ｅ−４は、タッチセンサ１０３が占める領域外であって電子機器１ｅの表面の下端に、その長辺が電子機器１ｅの幅方向に平行に配置される。
【００３７】
これにより、ユーザによる電子機器１ｅの左端部、上端部、右端部又は下端部への押圧が検知される。変位方向は、押圧が検知された押圧センサ１０１ｅ−１の位置に応じて右方（Ｘの正方向、順方向）又は左方（Ｘの負方向、逆方向）となる。また、変位方向は、押圧が検知された押圧センサ１０１ｅ−２の位置に応じて下方（Ｙの正方向、順方向）又は上方（Ｙの負方向、逆方向）となる。もしくは、変位方向は、押圧が検知された押圧センサ１０１ｅ−３の位置に応じて左方（Ｘの負方向、順方向）又は右方（Ｘの正方向、逆方向）となる。なお、押圧が検知された変位方向は、押圧センサ１０１ｅ−４の位置に応じて上方（Ｙの負方向、順方向）又は下方（Ｙの上方向、逆方向）となる。
【００３８】
図１０は、本実施形態に係る電子機器の他の例（電子機器１ｆ）における外観構成を示す表面図である。  
電子機器１ｆは、電子機器１において押圧センサ１０１の代わりに４個の押圧センサ１０１ｆ−１〜１０１ｆ−４を備える。押圧センサ１０１ｆ−１は、タッチセンサ１０３が占める領域外であって電子機器１ｆの表面の左上端に、長辺がその中心から電子機器１ｆの重心点までの線分と垂直な方向に向くように配置される。ここでは、その中心から電子機器１ｆの重心点までの線分は、電子機器１ｆの表面の左上端から右下端との間を結ぶ対角線（対角線１）の一部である。押圧センサ１０１ｆ−２は、タッチセンサ１０３が占める領域外であって電子機器１ｆの表面の右上端に、長辺がその中心から電子機器１ｆの重心点までの線分と垂直な方向に向くように配置される。ここでは、その中心から電子機器１ｆの重心点までの線分は、電子機器１ｆの表面の右上端から左下端との間を結ぶ対角線（対角線２）の一部である。押圧センサ１０１ｆ−３は、タッチセンサ１０３が占める領域外であって電子機器１ｆの表面の右下端に、長辺がその中心から電子機器１ｆの重心点までの線分と垂直な方向に向くように配置される。押圧センサ１０１ｆ−４は、タッチセンサ１０３が占める領域外であって電子機器１ｆの表面の左下端に、長辺がその中心から電子機器１ｆの重心点までの線分と垂直な方向に向くように配置される。
【００３９】
これにより、ユーザによる電子機器１ｆの左上端部、右上端部、右下端部又は左下端部への押圧が検知される。変位方向は、押圧が検知された押圧センサ１０１ｆ−１の位置に応じて電子機器１ｆの左上端から右下端への方向（順方向）又は電子機器１ｆの右下端から左上端への方向（逆方向）となる。また、変位方向は、押圧が検知された押圧センサ１０１ｆ−２の位置に応じて電子機器１ｆの右上端から左下端への方向（順方向）又は電子機器１ｆの左下端から右上端への方向（逆方向）となる。もしくは、変位方向は、押圧が検知された押圧センサ１０１ｆ−３の位置に応じて電子機器１ｆの右下端から左上端への方向（順方向）又は電子機器１ｆの左上端から右下端への方向（逆方向）となる。なお、変位方向は、押圧が検知された押圧センサ１０１ｆ−４の位置に応じて電子機器１ｆの左下端から右上端への方向（順方向）又は電子機器１ｆの右上端から左下端への方向（逆方向）となる。
【００４０】
上述したように、電子機器１ｂ〜１ｆは、いずれも複数の押圧センサを備える。その複数の押圧センサのうちいずれか又は任意の組み合わせが、検知した押圧信号を用いて画像を変位させるかを設定できるようにしてもよい。
例えば、電子機器１ｂ（図６参照）では、押圧センサ１０１ｂ−１のみを用いる場合、押圧センサ１０１ｂ−２のみを用いる場合、押圧センサ１０１ｂ−１、１０１ｂ−２の両方を用いる場合のいずれかを示す、押圧設定情報を予め制御情報記憶部１１３に記憶（設定）しておく。動作判定部１１２は、制御情報記憶部１１３に記憶された押圧設定情報が示す押圧センサに基づく押圧信号を用いて表示制御信号を生成する。これにより、ユーザによる押圧を受け付ける押圧センサ、ひいては当該押圧センサの位置に対応する変位方向が設定可能になる。
【００４１】
また、電子機器１ｂ〜１ｆでは、同時に複数の押圧センサから同時にゼロよりも有意に大きい押圧値を示す押圧信号が動作判定部１１２に入力され得る。その場合には、動作判定部１１２は、その複数の押圧センサのそれぞれが検知した押圧信号のうち、いずれか１つの押圧信号、例えば、押圧値が最も大きい押圧信号を、表示制御信号を生成する際に用いる押圧信号として採用する。この場合、その複数の押圧信号それぞれに基づいて互いに異なる表示制御信号が生成される可能性があるが、生成される表示制御信号が１通りに定められるため、動作の競合を回避することができる。
【００４２】
電子機器１、１ａ〜１ｆは、いずれも押圧センサ１０１等が表面に配置されているが、本実施形態ではこれには限られない。押圧センサは、電子機器の裏面、又は側面に配置されていてもよい。電子機器の裏面に配置される場合における押圧センサの個数やＸ、Ｙ座標は、それぞれ電子機器１、１ａ〜１ｆと同一であってもよい。
一例として、１個の押圧センサ１０１ｇが電子機器１（図１）と同一のＸ、Ｙ座標に備える電子機器１ｇの構成について説明する。
【００４３】
図１１は、本実施形態に係る電子機器の他の例（電子機器１ｇ）における構成を示す背面図である。  
押圧センサ１０１ｇは、電子機器１ｇの背面の上端に、その長辺が電子機器１ｇの幅方向に平行に配置される。これにより、ユーザが電子機器１ｇの背面の上端部に加えた押圧が検知される。図１１において、押圧センサ１０１ｇの輪郭が破線で示されているのは、後述するように押圧センサ１０１ｇは筐体１０５の内部に配置されているため、ユーザは押圧センサ１０１ｇを直に視認できないためである。
なお、図１１に示されるＸ方向は、図１等に示されるＸ方向とは逆方向であるが、これは電子機器１ｇの背面を示すためにＸ軸を対称軸として視点を変更したので、見かけ上Ｘ方向の正負が反転したためである。
【００４４】
図１２は、本実施形態に係る電子機器の他の例（電子機器１ｇ）の断面図である。
図１２に示す断面図は、図１１のＢＢ’線を通過し、ＸＹ平面に垂直な断面を示す図である。図１１のＢＢ’線は、電子機器１ｇの幅の方向の中点を通り、Ｙ方向に平行な線分である。
電子機器１ｇは、電子機器１と同様に、表示部１０２、タッチセンサ１０３、保護パネル１０４、筐体１０５を含んで構成されるが、これらの配置は電子機器１（図２）と同様である。押圧センサ１０１ｇは、筐体１０５に接しており、筐体１０５に電子機器１ｇの裏面から加えられた押圧が押圧センサ１０１ｇに伝達される。筐体１０５に加えられた押圧のうち、Ｚの負方向に伝達される成分が主であり、ＸＹ平面に平行に伝達される成分は比較的少ない。
【００４５】
（変位方向の設定）
予め記憶させておく変位方向情報が示す変位方向は、順方向であるか、逆方向であるかが設定できるようにしてもよい。例えば、電子機器１等の大きさ（幅、高さ、厚さ、又はこれらの任意の組み合わせで示される）が予め定めた大きさよりも大きい場合には、逆方向と定め。電子機器１等の大きさが予め定めた大きさよりも小さい場合には、順方向と定めておく。予め定めた大きさとして、例えば、人間の手（手のひら、指の長さ等で示される）の大きさの平均値に基づく基準値を用いる。これにより、手の平均的な大きさよりも大きい電子機器１等については画像の表示領域がタッチセンサ１０３の重心点に接近するように変位する。手の平均的な大きさよりも小さい電子機器１等については画像の表示領域がタッチセンサ１０３の重心点から遠ざかるように変位する。従って、電子機器１等の大きさによって画像に表示される画面部品が、より操作が容易な位置に移動する。
【００４６】
なお、電子機器１ｇ（図１１）のように、裏面に押圧センサ１０１ｇが配置される場合には、そのＸＹ平面内の座標に関わらず予め定めた変位方向を示す変位方向情報を設定してもよい。例えば、押圧センサ１０１ｇが裏面の重心点付近に配置される場合であっても、変位方向として上方を示す変位方向情報が設定されていてもよい。その変位方向情報の設定は、後述するようにユーザの操作入力に応じて設定できるようにしてもよい。裏面に押圧センサ１０１ｇが配置される場合、ユーザが操作入力に際して指等の操作物を電子機器１ｇの裏面に接触させる位置を意識しないことがある。そのような場合でも、ユーザ毎に画面部品をより操作が容易な位置に移動させる方向を定めることができる。
【００４７】
電子機器１等の大きさは、機種によって定められているため、機種によって変位方向が順方向であるか、逆方向であるかを設定されるようにしてもよい。そこで、機種を識別する機種識別情報（機種ＩＤ）が、電子機器１等が備える記憶部（例えば、制御情報記憶部１１３）に記憶されている場合には、当該記憶部に機種識別情報に対応する変位方向を示す変位方向情報を記憶しておく。
手の大きさはユーザによっても異なるため、変位方向を順方向とするか、逆方向とするかをユーザの操作入力に応じて設定できるようにしてもよい。そこで、動作判定部１１２は、表示部１０２に設定表示を表示させる。設定表示は、それぞれ異なる変位方向の候補を示す画像である。動作判定部１１２は、タッチセンサ情報処理部１１５から入力された位置情報が示す位置が含まれる変位方向の候補を定め、定めた変位方向の候補に対応する変位方向情報を制御情報記憶部１１３に記憶する。なお、設定できる変位方向の候補は、順方向であるか逆方向であるかに限られず、その他の任意の方向を変位方向の候補としてもよい。
【００４８】
（動作例）
次に、本実施形態に係る電子機器１（図１）の動作例について説明する。
図１３は、本実施形態に係る電子機器１の動作の一例を示す概念図である。
図１３（ａ）は、ユーザが電子機器１に加える押圧の一例を示す。
２つの矢印３０１、３０２は、それぞれユーザが電子機器１を支持する力の向きを示す。つまり、ユーザは、電子機器１を把持することで、その下方の左側から右上方向と、下方の右側から左上方向に押圧していることが示されている。矢印４０１は、ユーザが押圧センサ１０１を押す力の向きを示す。つまり、ユーザは、押圧センサ１０１をその上方から下方に押圧していることが示されている。
破線で示されている四角形は、表示部１０２が表示している画像の表示領域５０１を示す。但し、この表示領域５０１は、上述の力が加えられる前に画像が表示される領域、つまり基準位置に係る表示領域である。
【００４９】
図１３（ｂ）は、図１３（ａ）が示す押圧が電子機器１に加えられたときに変位した画像の一例を示す。
図１３（ｂ）における表示領域５０１は、図１３（ａ）における表示領域５０１よりも下方に変位している。表示領域５０１の真上に示されている矢印６０１は、この画像の変位量と変位方向を示す。矢印６０１が示す変位方向は、矢印４０１が示す力の向きと同一、つまり順方向である。ここで、画面部品が表示領域５０１の上端に近い位置に表示されていると、画面部品も画像に付随して下方に移動する。そのため、表示部１０２の上端近くに表示されていた画面部品に対する操作が困難であったユーザにとって操作が容易になる。
【００５０】
なお、表示領域５０１において画像が表示されていない領域は、表示部１０２が画像を表示できる領域外であることを示す。表示領域５０１の上方に網掛けで表示されている領域は、表示制御部１１４が、この領域内の各画素の信号値として予め定めた信号値を割り当てることを示す。画像を変位させることによって、表示制御部１１４に入力された画像信号には、この領域における各画素の信号値が存在しないためである。また、予め定めた信号値が割り当てられた領域の画像は、その他の領域の画像のように入力された画像信号に基づく画像とは、色や明るさ、その空間分布などの視感が大きく異なる。そのため、利用者は画像が変位したことを直感的に認識することができる。
【００５１】
図１４は、本実施形態に係る電子機器１の動作のその他の例を示す概念図である。
図１４（ａ）は、ユーザが電子機器１に加える押圧の一例を示す。
矢印３０１、３０２、４０１は、それぞれ図１３（ａ）と同様にユーザが電子機器１を押圧する力の向きを示す。
【００５２】
図１４（ｂ）は、図１４（ａ）が示す押圧が電子機器１に加えられたときに変位した画像の一例を示す。
図１４（ｂ）における表示領域５０１は、図１４（ａ）における表示領域５０１よりも上方に変位している。表示領域５０１の真下に示されている矢印６０２は、この画像の変位量と変位方向を示す。矢印６０２が示す変位方向は、矢印４０１が示す力の向きとは逆方向である。画面部品が表示領域５０１の下端に近い位置に表示されている場合に、画面部品も画像に付随して上方に移動する。そのため、表示部１０２の下端近くに表示されていた画面部品に対する操作が困難であったユーザにとって操作が容易になる。
【００５３】
次に、本実施形態に係る電子機器１ａ（図５）の動作例について説明する。
図１５は、本実施形態に係る電子機器１ａの動作の一例を示す概念図である。
図１５（ａ）は、ユーザが電子機器１ａに加える押圧の一例を示す。
２つの矢印３０１ａ、３０２ａは、それぞれユーザが電子機器１ａを支持する力の向きを示す。つまり、ユーザは、電子機器１ａを把持することで、電子機器１ａの左上から右下方向と、その左方の左下から右上方向に押圧していることが示されている。矢印４０１ａは、ユーザが押圧センサ１０１ａを押す力の向きを示す。つまり、ユーザは、押圧センサ１０１ａをその右方から左方に押圧していることが示されている。
破線で示されている四角形は、表示部１０２が表示している画像の表示領域５０１ａを示す。この表示領域５０１ａに係る位置は、上述の力が加えられる前に画像が表示される領域、つまり基準位置に係る表示領域である。
【００５４】
図１５（ｂ）は、図１５（ａ）が示す押圧が電子機器１ａに加えられたときに変位した画像の一例を示す。
図１５（ｂ）における表示領域５０１ａは、図１５（ａ）における表示領域５０１ａよりも左方に変位している。表示領域５０１ａの右側に示されている矢印６０１ａは、この画像の変位量と変位方向を示す。矢印６０１ａが示す変位方向は、矢印４０１ａが示す力の向きとは同一の方向、つまり順方向である。画面部品が表示領域５０１ａの右端に近い位置に表示されている場合に、画面部品も画像に付随して左方に移動する。そのため、表示部１０２の右端近くに表示されていた画面部品に対する操作が困難であったユーザにとって操作が容易になる。
【００５５】
図１６は、本実施形態に係る電子機器１ａの動作のその他の例を示す概念図である。
図１６（ａ）は、ユーザが電子機器１ａに加える押圧の一例を示す。
矢印３０３ａは、ユーザが電子機器１ａを支持する力の向きを示す。つまり、ユーザは、電子機器１を把持することで、その左方の左下から右上方向に押圧していることが示されている。２つの矢印４０１ａ−１、４０１ａ−２は、ユーザが押圧センサ１０１ａを押す力の向きを示す。つまり、ユーザは、２本の指をそれぞれ接触させることで押圧センサ１０１ａをその右方から左方に押圧していることが示されている。
表示領域５０１ａは、図１５（ａ）と同様に基準位置に係る表示領域を示す。
【００５６】
図１６（ｂ）は、図１６（ａ）が示す押圧が電子機器１ａに加えられたときに変位した画像の一例を示す。
図１６（ｂ）における表示領域５０１ａは、図１６（ａ）における表示領域５０１ａよりも左方に変位している。表示領域５０１ａの右方に示されている矢印６０２ａは、この画像の変位量と変位方向を示す。矢印６０２ａが示す変位方向は、矢印４０１ａ−１、４０１ａ−２が示す力の向きとは同一の方向、つまり順方向である。図１６（ｂ）は、押圧センサ１０１ａは、押圧の方向や押圧を受けた位置に関わらず押圧力を検知し、検知した押圧に応じて画像が変位していることが示す。
【００５７】
次に、本実施形態に係る電子機器１ｆ（図１０）の動作例について説明する。
図１７は、本実施形態に係る電子機器１ｆの動作の一例を示す概念図である。
図１７（ａ）は、ユーザが電子機器１ｆに加える押圧の一例を示す。
矢印４０１ｆは、ユーザが電子機器１ｆを支持し、かつ、押圧センサ１０１ｆ−４を押す力の向きを示す。つまり、ユーザは、押圧センサ１０１ｆ−４の部分を把持することで、その左下から右上方向に押圧していることが示されている。破線で示されている四角形は、表示部１０２が表示している画像の表示領域５０１ｆを示す。この表示領域５０１ｆに係る位置は、上述の力が加えられる前に画像が表示される領域、つまり基準位置に係る表示領域である。
【００５８】
図１７（ｂ）は、図１７（ａ）が示す押圧が電子機器１ｆに加えられたときに変位した画像の一例を示す。
図１７（ｂ）における表示領域５０１ｆは、図１７（ａ）における表示領域５０１ｆよりも左下方に変位している。表示領域５０１ｆの右上に示されている矢印６０１ｆは、この画像の変位量と変位方向を示す。矢印６０１ｆが示す変位方向は、矢印４０１ｆが示す力の向きとは逆方向である。画面部品が表示領域５０１ｆの右上端に近い位置に表示されている場合に、画面部品も画像に付随して左下方に移動する。そのため、表示部１０２の右上端近くに表示されていた画面部品に対する操作が困難であったユーザにとって操作が容易になる。
【００５９】
このように、本実施形態では、操作入力による押圧値を検出し、検出した押圧値に応じて表示部に画像を表示する位置を変位させる。位置の変位は、画像の内容に関わらず、押圧をかけるという簡単な操作によってなされる。ユーザは、画像に表示された画面部品を操作がより容易な位置へ直感的に移動させることができるのでタッチセンサによる操作入力が容易になる。
【００６０】
（第２の実施形態）
次に、本発明の第２の実施形態について説明する。
本実施形態に係る電子機器１は、第１の実施形態に係る電子機器１等と同様な構成を備えるため、上述の説明を援用する。
本実施形態では、動作判定部１１２は、押圧検知部１１１から入力された押圧信号が示す押圧値の大きさに応じて変位量を定めてもよい。ここで、動作判定部１１２は、押圧値が大きいほど大きくなる変位量を定める。例えば、動作判定部１１２は、押圧値と比例するように変位量を定めてもよい。動作判定部１１２は、その変位量が予め定めた上限を超えないように定めてもよい。
【００６１】
その他、制御情報記憶部１１３には、複数の異なる押圧値の範囲と変位量を示す変位量情報とを対応付けて予め記憶させておいてもよい。記憶させておく変位量情報が示す変位量は、これに対応する範囲に係る押圧値が大きいほど大きくなるように定めておく。そして、動作判定部１１２は、押圧検知部１１１から入力された押圧信号が示す押圧値が含まれる押圧値の範囲に対応する変位量情報を制御情報記憶部１１３から読み出す。
【００６２】
次に、押圧値の範囲が３段階である場合を例にとって、本実施形態に係る画面制御処理の変形例について説明する。次に説明する例では、その３段階には、画像を変位させない場合も、そのうちの１段階として含まれる。３段階の押圧値の範囲は、閾値Ａ、閾値Ｂで画定されるものとする。但し、閾値Ａは、ゼロより大きい実数である。閾値Ｂは、閾値Ａよりも大きい実数である。即ち、以下の例では、押圧値の範囲は、それぞれ[ゼロ，閾値Ａ]、（閾値Ａ，閾値Ｂ]、（閾値Ｂ，∞）の計３段階である。記号［…、…］は、それぞれ…が下限、上限であって、…を範囲に含むことを示す。記号（…、…）は、それぞれ…が下限、上限であって、その値を範囲に含まないことを示す。なお、表示位置を基準位置に戻す際の押圧信号が示す押圧値が下回ったか否かを判定するための閾値Ｃを閾値Ａよりも小さい実数と定めておく。これらの閾値は、押圧値の範囲を示す制御情報として予め制御情報記憶部１１３に記憶させておく。また、範囲（閾値Ａ，閾値Ｂ]と変位量ａを示す変位量情報とを、範囲（閾値Ｂ，∞）と変位量ｂを示す変位量情報とを、それぞれ対応付けて制御情報記憶部１１３に記憶させておく。
【００６３】
図１８は、本実施形態に係る画面制御処理の一例を示すフローチャートである。
（ステップＳ１０１）表示部１０２は、表示制御部１１４から入力された画像信号に基づく画像を基準位置に表示する（通常表示）。その後、ステップＳ１０２Ｂに進む。
（ステップＳ１０２Ｂ）動作判定部１１２は、押圧検知部１１１から入力された押圧信号が示す押圧値が、制御情報記憶部１１３から読み出した閾値Ｂよりも大きいか否かを判定する。押圧値が閾値Ｂよりも大きいと判定された場合には（ステップＳ１０２Ｂ  ＹＥＳ）、ステップＳ１０２Ａに進む。その後、閾値Ｂよりも大きくないと判定された場合には（ステップＳ１０２Ｂ  ＮＯ）、ステップＳ１０２Ｂを繰り返す。
（ステップＳ１０２Ａ）動作判定部１１２は、押圧検知部１１１から入力された押圧信号が示す押圧値が、制御情報記憶部１１３から読み出した閾値Ａよりも大きいか否かを判定する。押圧値が閾値Ａよりも大きいと判定された場合には（ステップＳ１０２Ａ  ＹＥＳ）、ステップＳ１０３Ａに進む。閾値Ａよりも大きくないと判定された場合には（ステップＳ１０２Ａ  ＮＯ）、ステップＳ１０３Ｂに進む。
【００６４】
（ステップＳ１０３Ａ）動作判定部１１２は、制御情報記憶部１１３から変位方向情報と変位量ａを示す変位量情報を読み出し、読み出した変位方向情報が示す変位方向と変位量情報が示す変位量を表す表示制御信号を生成する。動作判定部１１２は、生成した表示制御信号を表示制御部１１４に出力する。表示制御部１１４は、入力された画像信号に係る画像を、基準位置から動作判定部１１２から入力された表示制御信号が示す変位方向に変位量ａだけ位置を変位させる。表示部１０２は、基準位置から変位量ａだけ変位した画像を表示する。その後、ステップＳ１０４Ａに進む。
【００６５】
（ステップＳ１０４Ａ）動作判定部１１２は、押圧検知部１１１から入力された押圧信号が示す押圧値が、制御情報記憶部１１３から読み出した閾値Ｃよりも小さいか否かを判定する。閾値Ｃよりも小さいと判定された場合には（ステップＳ１０４Ａ  ＹＥＳ）、動作判定部１１２は、画像の表示位置を基準位置に戻すことを示す表示制御信号を生成し、生成した表示制御信号を表示制御部１１４に出力する。その後、ステップＳ１０１に戻る。即ち、表示制御部１１４は、入力された画像信号に係る画像を、基準位置のまま変位させない。閾値Ｃよりも小さくないと判定された場合には（ステップＳ１０４Ａ  ＮＯ）、ステップＳ１０４Ａを繰り返す。
【００６６】
（ステップＳ１０３Ｂ）動作判定部１１２は、制御情報記憶部１１３から変位方向情報と変位量ｂを示す変位量情報を読み出し、読み出した変位方向情報が示す変位方向と変位量情報が示す変位量を表す表示制御信号を生成する。動作判定部１１２は、生成した表示制御信号を表示制御部１１４に出力する。表示制御部１１４は、入力された画像信号に係る画像を、基準位置から動作判定部１１２から入力された表示制御信号が示す変位方向に変位量ｂだけ位置を変位させる。表示部１０２は、基準位置から変位量ｂだけ変位した画像を表示する。その後、ステップＳ１０４Ｂに進む。
【００６７】
（ステップＳ１０４Ｂ）動作判定部１１２は、押圧検知部１１１から入力された押圧信号が示す押圧値が、制御情報記憶部１１３から読み出した閾値Ｃよりも小さいか否かを判定する。閾値Ｃよりも小さいと判定された場合には（ステップＳ１０４Ｂ  ＹＥＳ）、動作判定部１１２は、画像の表示位置を基準位置に戻すことを示す表示制御信号を生成し、生成した表示制御信号を表示制御部１１４に出力する。その後、ステップＳ１０１に戻る。即ち、表示制御部１１４は、入力された画像信号に係る画像を、基準位置のまま変位させない。閾値Ｃよりも小さくないと判定された場合には（ステップＳ１０４Ｂ  ＮＯ）、ステップＳ１０２Ａに戻る。
【００６８】
（動作例）
次に、電子機器１（図１）において動作判定部１１２が押圧値の大きさに応じて変位量を定める場合の動作例について説明する。
図１９は、本実施形態に係る電子機器１の動作のその他の例を示す概念図である。
図１９（ａ）は、ユーザが電子機器１に加える押圧のその他の例を示す。
矢印４０３は、ユーザが押圧センサ１０１を押す力の向きを示す。つまり、ユーザは、押圧センサ１０１を奥行方向（Ｚ方向）に押圧していることが示されている。矢印４０３の太さは、押圧力の大きさを示す。
表示領域５０１は、図１３（ａ）と同様に、上述の力が加えられる前に画像が表示される領域、つまり基準位置に係る表示領域である。
【００６９】
図１９（ｂ）は、図１９（ａ）が示す押圧が電子機器１に加えられたときに変位した画像の一例を示す。
図１９（ｂ）における表示領域５０１は、図１３（ａ）における表示領域５０１よりも下方に変位している。表示領域５０１の真上に示されている矢印６０３は、この画像の変位量と変位方向を示す。矢印６０３が示す変位方向は、上方から下方に向かう方向、つまり順方向である。
【００７０】
図２０は、本実施形態に係る電子機器１の動作のその他の例を示す概念図である。
図２０（ａ）は、ユーザが電子機器１に加える押圧のその他の例を示す。
矢印４０４は、図１９（ａ）に示される矢印４０３と同様にユーザが押圧センサ１０１を奥行方向（Ｚ方向）に押圧していることを示す。但し、矢印４０４の太さは、矢印４０３の太さよりも細い。つまり、図２０（ａ）の矢印４０４が示す押圧力は、図１９（ａ）の矢印４０３が示す押圧力よりも小さい。
【００７１】
図２０（ｂ）は、図２０（ａ）が示す押圧が押圧センサ１０１に加えられたときに変位した画像の一例を示す。
図２０（ｂ）において表示領域５０１の真上に示されている矢印６０４は、この画像の変位量と変位方向を示す。矢印６０４が示す変位方向は、上方から下方に向かう方向、つまり順方向である。但し、矢印６０４の長さは、矢印６０３の長さよりも短い。つまり、図２０（ｂ）の矢印６０４が示す変位量は、図１９（ｂ）の矢印６０３が示す変位量よりも小さい。
このように、本実施形態では、押圧力の大きさに基づいて変位量を定める。これにより、ユーザは直感的に画像を表示する位置を調整することができるので、画像に含まれる画面部品への操作入力が容易になる。
【００７２】
（第３の実施形態）
次に、本発明の第３の実施形態について説明する。
本実施形態に係る電子機器１は、上述の実施形態に係る電子機器１等と同様な構成を備えるため、上述の説明を援用する。
本実施形態に係る電子機器１は、動作判定部１１２が押圧検知部１１１から入力された押圧信号が示す押圧値の大きさが予め定めた閾値よりも大きいと判定した場合に、画像表示を一時的に停止してもよい。その閾値は、画像の表示位置を変位する際に用いる閾値（例えば、閾値Ａ）よりも大きい値（閾値Ｄ）であってもよい。ここで、表示部１０２は、現在表示している画像の代わりに、予め定めた画像、例えば、領域全体にわたって同一の色を表す単色の画像（例えば、黒画面、白画面、グレー画面等）を表示してもよい。つまり、画像表示を一時的に停止する処理は、検知した押圧値がその閾値Ｄよりも大きい場合に、表示部１０２の表示領域の大きさと等しいか、その大きさよりも大きい変位量で表示位置を変位させる処理に相当する。言い換えれば、画像表示の一時的な停止は、画像の表示位置の変位における一態様とも捉えることができる。
なお、予め定めた画像として単色の画像の他、直前に表示していた画像と別個の任意の画像（例えば、壁紙）を表示してもよい。以下の説明では、この予め定めた画像を代替画像と呼び、代替画像を示す画像信号を代替画像信号と呼ぶ。制御情報記憶部１１３には、閾値Ｄ及び代替画像信号を予め記憶させておく。
【００７３】
次に、画像表示を一時的に停止する場合の画面制御処理について説明する。
図２１は、本実施形態に係る画面制御処理の一例を示すフローチャートである。
（ステップＳ１０１）表示部１０２は、表示制御部１１４から入力された画像信号に基づく画像を基準位置に表示する（通常表示）。その後、ステップＳ１０２Ｄに進む。
（ステップＳ１０２Ｄ）動作判定部１１２は、押圧検知部１１１から入力された押圧信号が示す押圧値が、制御情報記憶部１１３から読み出した閾値Ｄよりも大きいか否かを判定する。閾値Ｄよりも大きいと判定された場合には（ステップＳ１０２Ｄ  ＹＥＳ）、ステップＳ２０３に進む。閾値Ｄよりも大きくないと判定された場合には（ステップＳ１０２Ｄ  ＮＯ）、ステップＳ１０２Ｄを繰り返す。
【００７４】
（ステップＳ２０３）動作判定部１１２は、画像表示を停止することを示す表示制御信号を生成し、生成した表示制御信号を表示制御部１１４に出力する。表示制御部１１４は、動作判定部１１２から入力された表示制御信号が画像表示を停止することを示す場合、  入力された画像信号又は変位した画像を示す画像信号を表示部１０２に出力することを停止する（画像表示を停止）。動作判定部１１２は、制御情報記憶部１１３から代替画像信号を読み出し、読み出した代替画像信号を表示部１０２に出力する。表示部１０２は、代替画像を表示する。その後、ステップＳ１０４Ｄに進む。
【００７５】
（ステップＳ１０４Ｄ）動作判定部１１２は、押圧検知部１１１から入力された押圧信号が示す押圧値が、制御情報記憶部１１３から読み出した閾値Ｃよりも小さいか否かを判定する。閾値Ｃよりも小さいと判定された場合には（ステップＳ１０４Ｄ  ＹＥＳ）、ステップＳ２０５に進む。閾値Ｃよりも小さくないと判定された場合には（ステップＳ１０４Ｄ  ＮＯ）、ステップＳ１０４Ｄを繰り返す。
（ステップＳ２０５）動作判定部１１２は、押圧値が閾値Ｃよりも小さいと判定された後、押圧値が閾値Ｃよりも小さい状態が一定時間（例えば、５秒）経過したか否か判定する。一定時間経過したと判定された場合には（ステップＳ２０５  ＹＥＳ）、動作判定部１１２は、画像表示の一時停止を解除することを示す表示制御信号を生成し、生成した表示制御信号を表示制御部１１４に出力する。表示制御部１１４は、動作判定部１１２から入力された表示制御信号が画像表示の一時停止を解除することを示す場合、入力された画像信号の表示部１０２への出力を再開する。その後、ステップＳ１０１に戻る。一定時間経過していないと判定された場合には（ステップＳ２０５  ＮＯ）、ステップＳ２０５を繰り返す。
【００７６】
（動作例）
次に、電子機器１（図１）において画像表示を一時的に停止する場合の動作例について説明する。
図２２は、本実施形態に係る電子機器１の動作の一例を示す概念図である。
図２２（ａ）は、ユーザが電子機器１に加える押圧のその他の例を示す。
矢印４０５は、ユーザが押圧センサ１０１を押す力の向きを示し、矢印４０５の太さは、その押圧力の大きさを示す。矢印４０５の太さは、例えば矢印４０３（図１９（ａ））よりも太い。つまり、矢印４０５が示す押圧力は、矢印４０３が示す押圧力よりも大きいことを示す。
つまり、ユーザは、押圧センサ１０１を奥行方向（Ｚ方向）に押圧していることが示されている。表示領域５０１は、図１３（ａ）に示される表示領域５０１と同様に、上述の力が加えられる前に画像が表示される領域、つまり基準位置に係る表示領域である。
【００７７】
図２２（ｂ）は、図２２（ａ）が示す押圧が押圧センサ１０１に加えられたときに表示される画像の一例として、表示領域５０１に表示されていた画像の代わりに代替画像５０２が表示されていることを示す。つまり、電子機器１において画像表示が一時的に停止している状態を示す。代替画像５０２は、表示領域全体にわたって表示色が灰色である単色の画像（グレー画面）である。その後、押圧センサ１０１が検出した押圧値が閾値Ｃよりも小さくなった状態が所定時間経過した後、画像の表示が再開する。
【００７８】
このように、本実施形態では検知した押圧力が予め定めた押圧値よりも大きい場合に、画像の表示を一時的に停止する。そのため、ユーザが予め定めた強さよりも強い力で押圧センサ１０１を押圧することで、直前までに閲覧していた画像を他人に視認されることが回避される。また、押圧を停止することで画像の表示が再開するため、容易に画像の閲覧を再開できる。
【００７９】
（変形例１）
上述の実施形態では、押圧を検知した押圧センサ１０１等の位置に応じた変位方向が一定であることを前提に説明したが、上述した実施形態では、検知された押圧値の時間変動に基づいて変位方向を切り替えるようにしてもよい。
以下、図２３−２５を用いて、動作判定部１１２が変位方向を反転させる時点について説明する。図２３−２５は、いずれも変位方向の時間変化の例を示す図である。図２３−２５において、横軸は、時刻を示し、縦軸は、押圧値を示す。また、下向きの矢印は、動作判定部１１２が変位方向を反転させる時点を示す。
【００８０】
動作判定部１１２は、図２３に示すように押圧検知部１１１から入力された押圧信号が示す押圧値が、上述の閾値Ｂを越えた後、予め定めた時間Ｔ（例えば、２秒）が経過しても、閾値Ｂを越えていると判定したとき、変位方向を反転させてもよい。閾値Ｂを越える押圧値での押圧が時間Ｔだけ継続する毎に変位方向が反転するので、ユーザは押圧センサ１０１への押圧を継続することで変位方向を反転させることができる。
【００８１】
また、動作判定部１１２は、図２４に示すように押圧検知部１１１から入力された押圧信号が示す押圧値が、上述の閾値Ｂを越えた後、その閾値Ｂを下回った後で当初閾値Ｂを越えてからの時間Ｔが経過するまでに再度、閾値Ｂを越えたと判定したとき、変位方向を反転させてもよい。閾値Ｂを越える押圧値での押圧が時間Ｔ内に繰り返し検知される毎に変位方向が反転するので、ユーザは押圧センサ１０１への押圧とその解除を反復することで変位方向を反転させることができる。
【００８２】
また、動作判定部１１２は、図２５に示すように押圧検知部１１１から入力された押圧信号が示す押圧値が、上述の閾値Ｂを越えた後、時間Ｔが経過する前に、閾値Ｅを越えていると判定したとき、変位方向を反転させてもよい。閾値Ｅは、閾値Ｂよりも大きい押圧値である。その場合、閾値Ｂを越えた押圧値での押圧が、さらに時間Ｔが経過する前に閾値Ｅを越えたと検知されると変位方向が反転するので、ユーザは押圧センサ１０１への押圧による画像の表示領域の変位を視認した後で、押圧力を強くすることで変位方向を反転させることができる。
【００８３】
なお、動作判定部１１２は、変位方向を反転させる代わりに、変位量の正負の符号を反転させることによっても、画像の表示領域の変位方向を反転させることができる。
動作判定部１１２は、変位方向を反転させる前の変位量と、変位方向を反転させた後の変位量は異なっていてもよい。例えば、変位方向を反転させた後の変位量が反転させる前の変位量が大きくてもよいし、変位方向を反転させた後の変位量が反転させる前の変位量が小さくてもよい。
上述した実施形態では、検知された押圧値の時間変動に基づいて変位方向を切り替えることができる。そのため、予め設定された変位方向がユーザにとって意図しないものであっても、変位方向を設定する作業を回避することができる。
【００８４】
（変形例２）
上述の実施形態では、押圧センサ１０１等は、押圧の方向や押圧を受けた位置に関わらず押圧力を検知する場合を例にとって説明したが、押圧センサ１０１等は、押圧力の分布を検出するセンサ、例えば、押圧の並進成分と押圧に伴う回転力（ひねり、モーメント）を検出するセンサであってもよい。押圧センサ１０１（図１）が検出する回転力は、これに押圧を伝達する保護パネル１０４の面に垂直な方向（Ｚ方向）及び長手方向（Ｘ方向）に垂直な方向（Ｙ方向）の回転軸のまわりに回転する回転力である。つまり、押圧センサ１０１が検知する回転力は、その重心点を通る回転軸よりも一方、（例えば左方、Ｘの負方向）への押圧値と他方、（例えば、右方、Ｘの正方向）への押圧値との差分を示す指標値である。言い換えれば、回転力は、押圧センサ１０１に加えられる押圧力の分布を示す。例えば、押圧センサ１０１に加えられる押圧力の分布が右方より左方が主である場合には、検出される回転力の値が大きくなる。押圧センサ１０１に加えられる押圧力の分布が左方と右方でつりあっている場合には、検出される回転力の値はゼロとなる。押圧センサ１０１に加えられる押圧力の分布が左方よりも左方が主である場合には、検出される回転力の値はゼロよりもさらに小さくなる。
【００８５】
動作判定部１１２は、押圧センサ１０１が検知した回転力に応じて変位方向を定めてもよい。動作判定部１１２は、図２６に示すように検知した回転力が一方（例えば、左方）への押圧値が他方（例えば、右方）への押圧値よりも大きいことを示すほど、その一方に偏るように変位方向を定める。  
図２６は、変位方向の回転力に応じた変化の一例を示す図である。図２６において、横軸は、Ｙ方向の回転軸のまわりに回転する回転力を示す。縦軸は、変位方向を示す。この変位方向は、その値が大きいほどＸの負方向に近いことを示し、最大値は９０度である。変位方向は、その値が小さいほどＸの正方向に近いことを示し、最小値は−９０度である。変位方向がゼロとは、Ｙ方向、つまり上述した変位方向を示す。
図２６に示す例では、動作判定部１１２は、検出された回転力が大きいほど変位方向が大きくなるように定める。検出された回転力が無限大に近いほど変位方向が９０度（Ｘの負方向）に漸近する。検出された回転力がゼロの場合、変位方向を０度と定める。検出された回転力がマイナス無限大に近いほど変位方向が−９０度（Ｘの正方向）に漸近する。
【００８６】
なお、動作判定部１１２は、有限個の予め定めた候補値から検出された回転力に応じて選択した１つの候補値を変位方向として定めてもよい。例えば、候補値の数が３個であるとき、検出された回転力が予め定めた正の閾値よりも大きい場合、動作判定部１１２は、変位方向を４５度（左下方）と定める。検出された回転力が予め定めた負の閾値と等しいか大きく、かつ予め定めた正の閾値よりと等しいか小さい場合、動作判定部１１２は、変位方向を０度（下方、Ｙの正方向）と定める。検出された回転力が予め定めた負の閾値よりも小さい場合、動作判定部１１２は、変位方向を−４５度（右下方）と定める。
【００８７】
このように、上述した実施形態では、検知された押圧の分布に基づいて変位方向を定める。そのため、ユーザが押圧を加えた位置に応じて直感的に変位方向を変更することができる。よって、画像に含まれる画面部品の位置がより詳細に調整され、操作入力が容易になる。また、変位方向を詳細に設定する作業を回避することができる。
【００８８】
（変形例３）
なお、上述の実施形態、表示部１０２の表示領域に表示される画像全体を変位させる場合を例にとって説明したが、本実施形態ではこれには限られない。表示制御部１１４は、実行しているアプリケーションプログラム毎に、その実行によって生成される画像を変位させてもよい。あるアプリケーションプログラムを実行して生成した画像を表示する表示領域をウィンドウの内部に表示する場合には、表示制御部１１４は、そのウィンドウの内部に表示する画像のみを変位させてもよい。また、表示制御部１１４は、ユーザからの操作入力を用いるアプリケーションプログラム（アクティブなアプリケーション）が実行して生成した画像を変位させる画像として選択してもよい。ユーザからの操作入力には、例えば、タッチセンサ情報処理部１１５から入力された位置情報がある。
このように、上述の実施形態では、実行しているアプリケーションプログラム毎に、その実行によって生成される画像を変位させるか否かが制御される。表示が一時的に停止される画像が特定の画像に限定されるため、ユーザは、それ以外の画像が変位していない状態で視認できるため、変位によって視認されなくなる部分が限定される。
【００８９】
なお、本発明に係る電子機器は、以下の態様でも実施することができる。
電子機器における制御方法であって、前記電子機器において、操作入力による押圧値を検出する押圧検出部が検出した押圧値に応じて画像を表示する表示部に画像を表示する位置を変位させる表示制御過程を有する制御方法。
電子機器のコンピュータに、操作入力による押圧値を検出する押圧検出部が検出した押圧値に応じて画像を表示する表示部に画像を表示する位置を変位させる表示制御手順を実行させるための制御プログラム。
【００９０】
なお、上述した実施形態における電子機器１、１ａ、１ｂ、１ｃ、１ｄ、１ｅ、１ｆ、１ｇの一部、例えば、押圧検知部１１１、動作判定部１１２、制御情報記憶部１１３、表示制御部１１４及びタッチセンサ情報処理部１１５をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、電子機器１、１ａ、１ｂ、１ｃ、１ｄ、１ｅ、１ｆ、１ｇのいずれかに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における電子機器１、１ａ、１ｂ、１ｃ、１ｄ、１ｅ、１ｆ、及び１ｇの一部、または全部を、ＬＳＩ（Ｌａｒｇｅ  Ｓｃａｌｅ  Ｉｎｔｅｇｒａｔｉｏｎ）等の集積回路として実現しても良い。電子機器１、１ａ、１ｂ、１ｃ、１ｄ、１ｅ、１ｆ、及び１ｇの各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００９１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００９２】
１、１ａ、１ｂ、１ｃ、１ｄ、１ｅ、１ｆ、１ｇ…電子機器、
１０１、１０１ａ、１０１ｂ（１０１ｂ−１、１０１ｂ−２）、１０１ｃ（１０１ｃ−１、１０１ｃ−２）、１０１ｄ（１０１ｄ−１、１０１ｄ−２）、１０１ｅ（１０１ｅ−１、１０１ｅ−２、１０１ｅ−３、１０１ｅ−４）、１０１ｆ（１０１ｆ−１、１０１ｆ−２、１０１ｆ−３、１０１ｆ−４）、１０１ｇ…押圧センサ、
１０２…表示部、１０３…タッチセンサ、１０４…保護パネル、１０５…筐体、
１１０…制御部、１１１…押圧検知部、１１２…動作判定部、１１３…制御情報記憶部、
１１４…表示制御部、１１５…タッチセンサ情報処理部、
【図１】
2014085754.tif 000003
【図２】
2014085754.tif 000004
【図３】
2014085754.tif 000005
【図４】
2014085754.tif 000006
【図５】
2014085754.tif 000007
【図６】
2014085754.tif 000008
【図７】
2014085754.tif 000009
【図８】
2014085754.tif 000010
【図９】
2014085754.tif 000011
【図１０】
2014085754.tif 000012
【図１１】
2014085754.tif 000013
【図１２】
2014085754.tif 000014
【図１３】
2014085754.tif 000015
【図１４】
2014085754.tif 000016
【図１５】
2014085754.tif 000017
【図１６】
2014085754.tif 000018
【図１７】
2014085754.tif 000019
【図１８】
2014085754.tif 000020
【図１９】
2014085754.tif 000021
【図２０】
2014085754.tif 000022
【図２１】
2014085754.tif 000023
【図２２】
2014085754.tif 000024
【図２３】
2014085754.tif 000025
【図２４】
2014085754.tif 000026
【図２５】
2014085754.tif 000027
【図２６】
2014085754.tif 000028